(57)【要約】【課題】安全脚絆を提供すること。【解決手段】  本発明の安全脚絆は、脛を巻く巻き部（３ａ）と、巻き部（３ａ）の下部に形成されて安全靴（４）の上部を巻く下部覆い部（３ｂ）とを含む保護帯（３）と、保護帯（３）の両端に装着されて保護帯（３）を足首に巻いた後で、継ぎ目を固定する固定部（７）と、保護帯（３）の外部面に附着する蛍光部材（５）とを含む。そしてこのような脚絆は、脚絆の外部に蛍光標識を附着することによって夜間でもよく見えて安全性を高めるという長所を有する。また、脚絆に固定輪を装着して安全靴に連結することによって、安全靴の外部に脚絆を着用した状態で活動をしても脚絆が空回りせず、元の位置を保持することができるという長所を有する。【選択図】図１
2017089088.tif 000002
【特許請求の範囲】
【請求項１】
脛を巻く巻き部（３ａ）と、巻き部（３ａ）の下部に形成されて安全靴（４）の上部を巻く下部覆い部（３ｂ）とを含む保護帯（３）と、
保護帯（３）の両端に装着されて保護帯（３）を足首に巻いた後で、継ぎ目を固定する固定部（７）と、
保護帯（３）の外部面に附着する蛍光部材（５）と、を含む安全脚絆（１）。
【請求項２】
蛍光部材（５）の外側に光拡散層（２０）を更に含み、
光拡散層（２０）は、透明プラスチック材で形成され、透明帯（２１）の外側面に複数の凸レンズ（２２）を光拡散層（２０）に沿って長さ方向に配置した形状であることを特徴とする、請求項１に記載の安全脚絆（１）。
【請求項３】
前記巻き部（３ａ）と下部覆い部（３ｂ）との境界線には弾力バンド（１３）が追加で装着されることによって、巻き部（３ａ）を足首に密着させ、且つ、下部覆い部（３ｂ）を安全靴（４）の上部に密着させることを特徴とする、請求項１に記載の安全脚絆（１）。
【請求項４】
前記下部覆い部（３ｂ）の内側面には輪（１７）が装着され、輪（１７）を安全靴（４）の紐（Ｓ）に固定することによって、
輪（１７）と弾力バンド（１３）の一端とを連結する第１直線（Ｌ１）と、弾力バンド（１３）の他端とを連結する第２直線（Ｌ２）と、弾力バンド（１３）とが三角形状を成して固定されることを特徴とする、請求項３に記載の安全脚絆（１）。
【請求項５】
固定部（７）は、保護帯（３）の巻き部（３ａ）の一端に連結される第１ベルクロ（９）と、巻き部（３ａ）の他端に連結されて第１ベルクロ（９）を附着する第２ベルクロ（１５）とを含むことを特徴とする、請求項１に記載の安全脚絆（１）。
【請求項６】
前記蛍光部材（５）は、保護帯（３）の外部面に接着方式又は縫製方式により固定される、或いは脱着が可能な方式で固定されることを特徴とする、請求項１に記載の安全脚絆（１）。
【発明の詳細な説明】
【技術分野】
【０００１】
本発明は、脚絆に関するものであって、より詳しくは、脚絆の構造を改良することによって脚絆が足首に安定的に密着することができて、産業現場で使用者の安全を效果的に守ることができる脚絆に関する技術である。
【背景技術】
【０００２】
一般的に脚絆とは、歩を運ぶ時に足首部分を保護するために足首から膝の下までを巻き付ける等の包む帯を意味する。このような脚絆は、工場のような産業現場で作業者たちが作業の便利及び安全のために主に利用する。
【０００３】
このような脚絆には、様々な形態のものが開発されており、足首を巻く保護帯と、保護帯の両端に装着されて保護帯を足首に巻いた後で継ぎ目を固定する固定部とからなる。
しかし、このような従来の脚絆は、産業現場で働く作業者たちが主に着用するため、夜間には脚絆がよく見えずに足首を充分に保護することができないという安全上の問題がある。
【０００４】
また、産業現場では作業者たちは主に安全靴を履いているため、安全靴を履いた状態で脚絆を着用する場合、着用者の活動により脚絆が移動することによって元の位置を保持できずに外れるという問題点がある。
【先行技術文献】
【特許文献】
【０００５】
【特許文献１】韓国公開特許第１０−２０１０−２７２０２号公報
【特許文献２】韓国公開実用新案第２０−１９８８−３９３９号公報
【特許文献３】韓国実用新案第２０−００８２−４６８００００号公報
【発明の概要】
【発明が解決しようとする課題】
【０００６】
したがって、本発明は、このような問題点を解決するために創出されたものであって、構造を改良することによって夜間にも視覚的によく認識されることで安全性を高められる技術を提供するものである。
【０００７】
本発明は、安全靴を履いた状態で脚絆を着用しても脚絆が元の位置を保持することによって安全性を高められる技術を提供するものである。
【課題を解決するための手段】
【０００８】
前記した目的を果たすために、本発明の一実施例は安全脚絆を提供するところ、この安全脚絆は、
脛を巻く巻き部（３ａ）と、巻き部（３ａ）の下部に形成されて安全靴（４）の上部を巻く下部覆い部（３ｂ）とを含む保護帯（３）と、
保護帯（３）の両端に装着されて保護帯（３）を足首に巻いた後で継ぎ目を固定する固定部（７）と、
保護帯（３）の外部面に附着する蛍光部材（５）と、を含む。
【０００９】
前記蛍光部材（５）の外側に光拡散層（２０）を追加で含み、光拡散層（２０）は、透明プラスチック材から形成され、透明帯（２１）の外側面に複数の凸レンズ（２２）が光拡散層（２０）に沿って長さ方向に配置された形状である。
【００１０】
そして、前記巻き部（３ａ）と下部覆い部（３ｂ）との境界線には、弾力バンド（１３）が追加で装着されることによって巻き部（３ａ）を足首に密着させ、下部覆い部（３ｂ）を安全靴（４）の上部に密着させる。
【００１１】
前記下部覆い部（３ｂ）の内側面には輪（１７）が装着され、輪（１７）は安全靴（４）の紐（Ｓ）に固定されることによって、輪（１７）と弾力バンド（１３）の一端とを連結する第１直線（Ｌ１）と、輪（１７）と弾力バンド（１３）の他端とを連結する第２直線（Ｌ２）と、弾力バンド（１３）とが三角形状を成して固定される。
【発明の効果】
【００１２】
前記したように本発明の一実施例による脚絆には以下のような長所がある。
第一に、脚絆の外部に蛍光標識を附着することによって、夜間にもよく見えて安全性を高めることができる。
【００１３】
第二に、蛍光標識の外部にレンズのような光拡散層（２０）を配置することによって、視認性（ｖｉｓｉｂｉｌｉｔｙ）を更に高めることができる。
第三に、脚絆の足首の境界部位に弾力バンドを横方向に装着して脚絆を足首に弾力的に固定させ、また、脚絆の下部に固定輪を装着して安全靴の紐の中央に連結することによって、輪と弾力バンドの両端とが脚絆の正面から見て三角形状を成すようにすることによって、より安定的に脚絆が着用され且つ脚絆が空回りせず、元の位置を保持できることによって安全性を高めることができる。
【図面の簡単な説明】
【００１４】
【図１】本発明の一実施例による脚絆を着用した状態を示す斜視図である。
【図２】図１の脚絆の外部を示す図である。
【図３】図１の脚絆の内部を示す図である。
【図４】図１の脚絆の他の実施例として、蛍光部材の外部にレンズのような光拡散層が追加で配置される構造を示す斜視図である。
【図５】図４の光拡散層と蛍光部材の構造を示す側面図である。
【発明を実施するための形態】
【００１５】
以下、本発明の一実施例による安全脚絆を添付された図面を参照して詳しく説明する。
図１乃至図３に示されたように、本発明が提案する脚絆（１）は、脛を巻く保護帯（３）と、保護帯（３）の両端に装着されて保護帯（３）を足首に巻いた後で継ぎ目を固定する固定部（７）と、保護帯（３）の外部面に附着する蛍光部材（５）とを含む。
【００１６】
このような脚絆（１）において、保護帯（３）は、布材等の様々な材料から製造でき、足首を巻くことができる材料であれば製造可能である。
そして、保護帯（３）は、脛を巻く巻き部（３ａ）と、巻き部（３ａ）の下部に形成されて安全靴（４）の上部を巻く下部覆い部（３ｂ）とを含む。
【００１７】
したがって、脚絆（１）を足首に着用すれば、巻き部（３ａ）は着用者の脛を巻くようになり、下部覆い部（３ｂ）は安全靴（４）の上部に密着する。
また、保護帯（３）の外側には、蛍光部材（５）が附着することによって夜間でもよく見える。このような蛍光部材（５）は、保護帯（３）の外側において所定の高さで附着し、蛍光帯などの様々な形状で製造することができる。例えば、蛍光部材（５）は、一字型、四角形、円形、多角形などの様々な形状で製造でき、必要に応じて文字状に形成することもできる。
【００１８】
また、蛍光部材（５）は、保護帯（３）の外側面に一列に附着したり、二列あるいは複数列に附着することができ、これは作業環境によって適切に選択することができる。
そして、蛍光部材（５）は、保護帯（３）の前方あるいは側方に附着したり、脚絆（１）の外周面の全区間に附着することによって、四方のいずれの方向からでもよく見える。
【００１９】
また、このような蛍光部材（５）は、保護帯（３）に対して接着剤によって固定したり、縫製などによって固定することができる。
このように蛍光部材（５）は、保護帯（３）の外側に附着することによって、光を反射して夜間でもよく見えて安全性を高められる。
【００２０】
蛍光部材（５）が保護帯（３）に固定方式で附着することを説明したが、本発明はこれに限定されず、脱着可能な方式も可能である。
すなわち、蛍光部材（５）の内側面にベルクロ（商標、一般名称は面ファスナー；９）を附着し、保護帯（３）の外側面にもベルクロ（９）を附着することによって、必要に応じて蛍光部材（５）を保護帯（３）の外側面に附着させたり、外側面から分離させることができる。
【００２１】
そして、蛍光部材の表面にホログラム方式のステッカーを附着することによって、視認性（ｖｉｓｉｂｉｌｉｔｙ）を更に高めることもできる。
また、このような蛍光部材（５）の他の実施例として図４及び図５に示されたように、蛍光部材（５）の外部にレンズのような光拡散層（２０）を配置することができる。
【００２２】
より詳しく説明すれば、光拡散層（２０）は、透明プラスチック材を射出などにより成形して透明帯（２１）を形成し、透明帯（２１）の表面に凸レンズ（２２）を形成する。
この場合、凸レンズ（２２）は、光拡散層（２０）に沿って長さ方向に複数個が配置された形状であるため、蛍光部材（５）の外側に附着することができる。
【００２３】
したがって、蛍光部材（５）によって光が反射される場合、反射光は、光拡散層（２０）を通過する過程で四方に拡散することによって視認性（ｖｉｓｉｂｉｌｉｔｙ）を高めることができる。
【００２４】
このように蛍光部材（５）の外側に光拡散層（２０）を配置することによって、視認性（ｖｉｓｉｂｉｌｉｔｙ）を更に高めて四方から作業者の脚絆を容易に認識することができる。
【００２５】
また、図１乃至図３を参照すれば、本発明の一実施例による脚絆（１）は、固定部（７）によって足の脛に着用することができる。
すなわち、固定部（７）は、保護帯（３）の巻き部（３ａ）の一端に連結される第１ベルクロ（９）と、巻き部（３ａ）の他端に連結されて第１ベルクロ（９）が附着する第２ベルクロ（１５）とを含む。
【００２６】
この場合、第１ベルクロ（９）は雌ベルクロであり、第２ベルクロ（１５）は雄ベルクロであるため互いに附着することができる。
したがって、脚絆（１）を着用する際に、保護帯（３）を脛に巻き付けた後で、その継ぎ目である第１ベルクロ（９）と第２ベルクロ（１５）とを固定することによって、脚絆（１）を着用することができる。
【００２７】
このような固定部（７）の材質は、ベルクロ以外にも様々な種類が可能であり、例えば、紐、フック、ジッパーなども可能である。
そして、このような固定部（７）と保護帯（３）との間にバンド（Ｂａｎｄ；１１）を配置することによって、足首の太さが多様でも脚絆（１）を適切に着用することができる。すなわち、足首が太い場合には、脚絆（１）を着用する際に、固定部（７）を引っ張ってバンド（１１）を延ばすことによって太い足首に巻くことができる。
【００２８】
また、このようなバンド（１１）を保護帯（３）の下部にも備えることによって、脚絆（１）を足首に対してより效果的に着用することができる。
すなわち、保護帯（３）の下部に備えられるバンドは、弾力バンド（Ｌｏｗｅｒ  ｂａｎｄ；１３）として、保護帯（３）と下部覆い部（３ｂ）との間の境界線上に配置される。
【００２９】
したがって、この弾力バンド（１３）は、保護帯（３）を足首に密着させると共に、下部覆い部（３ｂ）を下部で引いて安全靴（４）の上部に密着させることができる。
つまり、脚絆（１）を足首に着用する場合、この弾力バンド（１３）によって保護帯（３）を足首及び安全靴（４）に対してより效果的に密着させることができる。
【００３０】
一方、本発明の他の実施例として脚絆（１）の下部に輪（１７）を追加で装着することができる。輪（１７）は、下部覆い部（３ｂ）の内側面に装着でき、望ましくは安全靴（４）の紐（Ｓ）が通る位置に装着することができる。
【００３１】
すなわち、輪（１７）は、開放された部分である開口（１８）の下部に向かって、この開口（１８）を通じて安全靴（４）の紐（Ｓ）を輪（１７）の内部に進入させることで固定される。
【００３２】
したがって、輪（１７）が安全靴（４）の紐（Ｓ）に挿入された状態であるため、正位置を保持することによって活動時にも脚絆（１）を固定させることができる。
そして、輪（１７）が安全靴の紐の中間部分に掛って弾力バンド（１３）の両端と三角形状を成すことによって、脚絆を空回りしないようにより安定的に固定させることができる。
【００３３】
すなわち、輪（１７）と弾力バンド（１３）の一端とを連結する第１直線（Ｌ１）と、輪（１７）と弾力バンド（１３）の他端とを連結する第２直線（Ｌ２）と、弾力バンド（１３）とが逆三角形状を成す。
【００３４】
したがって、脚絆は、より強く脛及び足首部位に着用することができる。
以下、前記した脚絆を足首に着用する過程を更に詳しく説明する。
先ず、安全脚絆（１）を脛に着用する場合、保護帯（３）の巻き部（３ａ）を足の脛の正面に位置させて両端を持って脛の後方で巻く。
【００３５】
その際、脛の太さに合わせてバンド（１１）を延ばしながら、保護帯（３）を脛に適切に密着させて巻く。
保護帯（３）を巻いた後で、一側端に連結された固定部（７）の第１ベルクロ（９）を引っ張って他側端に連結された第２ベルクロ（１５）に接触させる。その際、第１ベルクロ（９）は雌ベルクロであり、第２ベルクロ（１５）は雄ベルクロである。
【００３６】
したがって、第１及び第２ベルクロ（９、１５）が互いに結合されることによって、脚絆（１）を脛に着用することができる。
この場合、下部覆い部（３ｂ）は、安全靴（４）の上部の紐の部位を覆うようになる。
【００３７】
そして、着用者は、下部覆い部（３ｂ）の底面に備えられた輪（１７）を安全靴（４）の紐に挿入する。
その際、輪（１７）が安全靴の紐の中間部分に掛って弾力バンド（１３）の両端と第１直線（Ｌ１）及び第２直線（Ｌ２）とによって三角形状を成すことで、脚絆を空回りしないようにより安定的に固定させることができる。
【符号の説明】
【００３８】
１…脚絆、３…保護帯、５…蛍光部材、７…固定部、１１…バンド
【図１】
2017089088.tif 000003
【図２】
2017089088.tif 000004
【図３】
2017089088.tif 000005
【図４】
2017089088.tif 000006
【図５】
2017089088.tif 000007